(57)【特許請求の範囲】
【請求項１】
ハーフゲージのジャカードバーが２つで対になることによりフルゲージになっている一体型ジャカードバーを前後に２つ並べてシングル編みを行い、前記シングル編みにおいて、選択されたゲージ位置のジャカード機構を、選択されたコースにおいて、オーバーラップ及びアンダーラップの中から選択されたラッピング時に作用させて、前記ジャカードバーが備えるジャカードガイドを変位させ、
さらに、前側の一体型ジャカードバーに１色の糸を通し後側の一体型ジャカードバーに別の１色の糸を通すか、合計４つの前記のハーフゲージのジャカードバーにそれぞれ異なる色の糸を通すか、又は合計４つの前記のハーフゲージのジャカードバーに染色され具合の異なる糸を通して行い、
前記シングル編みにおける前記ジャカード機構を作用させる前の基本組織として、前側の一体型ジャカードバーで閉じ目デンビ組織を編成し後側の一体型ジャカードバーでカウンターラッピング組織を編成するか、前側の一体型ジャカードバーでカウンターラッピング組織を編成し後側の一体型ジャカードバーで閉じ目逆デンビ組織を編成する、
経編生地の編成方法。
【請求項２】
後側の一体型ジャカードバーより後に設けられたガイドバーも用いて編成する請求項１に記載の経編生地の編成方法。
【請求項３】
前側の一体型ジャカードバーより前に設けられたガイドバーも用いて編成する請求項１又は２に記載の経編生地の編成方法。
【発明の詳細な説明】
【技術分野】
【０００１】
本発明は経編生地の編成方法に関する。
【背景技術】
【０００２】
ジャカードバーに設けられている複数のジャカードガイドは編成中にそれぞれ独立して左右に変位可能である。これにより基本組織に対して部分的に変化を加えることができる。例えば図１４（１）に示す基本組織としての閉じ目デンビ組織の編成において、アンダーラップ時にジャカードガイドの一部を変位させることにより、図１４（２）〜（４）に示す変化が加わった組織とすることができる。また図１５（１）に示す基本組織としての閉じ目デンビ組織の編成において、オーバーラップ時にジャカードガイドの一部を変位させることにより、図１５（２）〜（４）に示す変化が加わった組織とすることができる。なお図中のＨはジャカードガイドの位置を基本組織の編成の際と同じ位置（基本組織編成位置）にすることを示し、Ｔはジャカードガイドの位置を基本組織編成位置よりも左に変位させることを示している。
【０００３】
これを利用した経編み方法として、非特許文献１に記載のシングルラッシェル機による編成方法が知られている。この方法では、ジャカードガイドをオーバーラップ時もアンダーラップ時も基本組織編成位置から変位させることができる。そして、全てのジャカードガイドを基本組織を編成するように動作させるとともに、一部のジャカードガイドをオーバーラップ時とアンダーラップ時のいずれか一方又は両方の時に変位させて、基本組織に変化を加える。またこの方法では、１つの一体型ジャカードバー（ピエゾジャカード筬）と複数の地筬とを用いて編成する。ここで一体型ジャカードバーとは、２つのハーフゲージのジャカードバーが対になっているもので、全体としてフルゲージのニードルを備えているものを言う。
【先行技術文献】
【非特許文献】
【０００４】
【非特許文献１】発明協会公開技報  公技番号２０００−３８１６
【発明の概要】
【発明が解決しようとする課題】
【０００５】
しかしこの方法では、編成できる編地のバリエーションに限りがあった。例えば、一体型ジャカードバーでは、組織全体のうちの一部領域のみをネット組織としその他の領域を穴の無い組織とすることができる。これに対し地筬では、全領域が１つの組織となる。そのため一体型ジャカードバーによる組織と地筬による組織とを重ねてできる編地の一部領域をネット状とするためには、地筬による組織全体をネット組織として、その穴の位置と一体型ジャカードバーによるネット組織の穴の位置とを合わせるか、又は、地筬による組織全体を鎖編み組織としなければならない。しかしそのようにすると、一体型ジャカードバーによる組織と地筬による組織とを重ねた編地におけるネット状でない領域の組織が限定され、この領域の見え方が限定されることになる。また地筬にゴム糸を通し伸縮性のある編地にしようとしても、地筬による組織を鎖編み組織とすると、コース方向にしか伸縮性を持たせることができない。
【０００６】
そこで本発明は、このような限定が少なく、より多くのバリエーションの編地を編成することができる経編生地の編成方法を提供することを課題とする。
【課題を解決するための手段】
【０００７】
実施形態の経編生地の編成方法は、ハーフゲージのジャカードバーが２つで対になることによりフルゲージになっている一体型ジャカードバーを前後に２つ並べてシングル編みを行い、前記シングル編みにおいて、選択されたゲージ位置のジャカード機構を、選択されたコースにおいて、オーバーラップ及びアンダーラップの中から選択されたラッピング時に作用させて、前記ジャカードバーが備えるジャカードガイドを変位させ、さらに、前側の一体型ジャカードバーに１色の糸を通し後側の一体型ジャカードバーに別の１色の糸を通すか、合計４つの前記のハーフゲージのジャカードバーにそれぞれ異なる色の糸を通すか、又は合計４つの前記のハーフゲージのジャカードバーに染色され具合の異なる糸を通して行い、前記シングル編みにおける前記ジャカード機構を作用させる前の基本組織として、前側の一体型ジャカードバーで閉じ目デンビ組織を編成し後側の一体型ジャカードバーでカウンターラッピング組織を編成するか、前側の一体型ジャカードバーでカウンターラッピング組織を編成し後側の一体型ジャカードバーで閉じ目逆デンビ組織を編成することを特徴とする。
【図面の簡単な説明】
【０００８】
【図１】経編機１の正面図。
【図２】一体型ジャカードバーＰＪＢ１、ＰＪＢ２の配列を示す図。
【図３】ジャカードガイド２０ｊの正面図。
【図４】配列例Ａのガイドバーの配列を示す図。
【図５】配列例Ｂのガイドバーの配列を示す図。
【図６】閉じ目デンビ組織と、本実施形態においてこれにジャカード機構を作用させて変化させた組織とを示す図。
【図７】開き目デンビ組織と、本実施形態においてこれにジャカード機構を作用させて変化させた組織とを示す図。
【図８】開き目鎖編組織と、本実施形態においてこれにジャカード機構を作用させて変化させた組織とを示す図。
【図９】２ニードルアンダーラップの挿入組織と、本実施形態においてこれにジャカード機構を作用させて変化させた組織とを示す図。
【図１０】１ニードルアンダーラップの挿入組織と、本実施形態においてこれにジャカード機構を作用させて変化させた組織とを示す図。
【図１１】閉じ目逆デンビ組織と、本実施形態においてこれにジャカード機構を作用させて変化させた組織とを示す図。
【図１２】カウンターラッピング組織と、本実施形態においてこれにジャカード機構を作用させて変化させた組織とを示す図。
【図１３】カウンターラッピング組織と、本実施形態においてこれにジャカード機構を作用させて変化させた組織とを示す図。
【図１４】閉じ目デンビ組織と、アンダーラップ時にジャカードガイドを変位させた場合の組織とを示す図。
【図１５】閉じ目デンビ組織と、オーバーラップ時にジャカードガイドを変位させた場合の組織とを示す図。
【発明を実施するための形態】
【０００９】
実施形態について図面に基づき説明する。なお、以下の実施形態は例示であり、発明の範囲はこれに限定されない。以下の実施形態に対し、発明の要旨を逸脱しない範囲で、様々な省略、置換、変更を行うことができる。
【００１０】
以下の説明において、スイングインの方向を後、スイングアウトの方向を前として、前後という表現を用いる。また左右とは、編成部を前から見た場合の表現である。
【００１１】
（１）経編機の構造
本実施形態の経編生地の編成方法の実施に用いられる経編機を例示する。
【００１２】
図１の経編機１は左右方向に１列に並べられたニードル（針）２２で編成を行うシングルラッシェル機である。この経編機１は、図１に示すように、編成を行う編成部２と、編成部２に糸を給糸する給糸部３と、編成部２のガイド（筬）２０を動作させる柄出し部４と、編成部２のニードル２２を動作させる駆動部５と、編成部２で編成された編地を巻取る巻取り部６と、編成部２と給糸部３との間に設けられ編成部２における糸のテンションを均一に保つテンション装置７とを備える。
【００１３】
編成部２は、１列に並べられた多数のニードル２２を備える。これらのニードル２２は、駆動部５により一斉に上下運動させられる。また編成部２はガイドバー２１を備える。簡略化のために図１にはガイドバー２１は１枚しか描かれていないが、実際には複数枚設けられている。１枚のガイドバー２１には多数のガイド２０が一列に並べられて設けられている。ガイドバー２１は柄出し部４により左右に運動させられる。編成部２は、他に、ニードル２２の前方に設けられたトリックプレート２３や、ニードル２２が上昇する際に編地をトリックプレート２３側に押さえるステッチコームを備える。
【００１４】
給糸部３は編成部２に糸を給糸できるものであれば良く、その詳細な構造は限定されない。給糸部３の例としては、糸が巻き取られているビーム３０と、ビーム３０から糸を送り出すための装置とを備えるものが挙げられる。このような装置としては、ビーム３０を糸を送り出す方向に回転させる一方、ビーム３０の一端に掛けた錘により前記回転方向と反対方向にブレーキをかけてビーム３０の回転速度を調整する、いわゆるウエイト式消極送り出し装置や、ビーム３０の回転速度をコンピュータで制御するコンピュータ装置積極送り出し装置等が挙げられる。
【００１５】
柄出し部４は電子制御されるものであることが望ましい。具体的には、柄出し部４は、ガイドバー２１の一端に連結された左右方向に伸びるロッド４０と、該ロッド４０を左右に移動させるリニアモータやボールねじ等の移動装置４１と、該移動装置４１を制御する電子制御装置４２とを備える。電子制御装置４２に動作指示が入力されると、その動作指示に従い移動装置４１が動作し、ロッド４０及びガイドバー２１が左右に移動する。
【００１６】
ただし柄出し部４の構造はこれに限定されない。例えば、柄出し部４は、回転可能なチェーンドラムと、該チェーンドラムの外周に１周するように設けられたチェーンリンクとを備えるものであっても良い。この場合、ロッド４０が、チェーンリンクのチェーン番号（チェーンドラム径方向外側への高さ）の変化に伴い押されて、左右に移動する。
【００１７】
駆動部５はニードル２２を上下に動作させるものであれば良く、その詳細な構造は限定されない。一般的な駆動部５は、回転可能なシャフト５０と、シャフト５０を回転させるモータ等の回転装置５１と、シャフト５０に固定されたカム５２とを備える。シャフト５０の回転に伴いカム５２が回転すると、カム５２の上方にあるニードル２２がカム５２に押されて上下運動する。
【００１８】
（２）経編機１のガイド及びガイドバーの配列
本実施形態の経編機１の編成部２には、図２に示すように、前から順に、前側の一体型ジャカードバーＰＪＢ１と後側の一体型ジャカードバーＰＪＢ２とが設けられている。ここで、一体型ジャカードバーとは、ハーフゲージのジャカードバー（ハーフセット分のジャカードガイド２０ｊを備えるジャカードバー）ＪＢを２枚備え、全体でフルゲージとなる（フルセット分のジャカードガイド２０ｊを備える）ものである。
【００１９】
これらのハーフゲージのジャカードバーＪＢは、それぞれ基本組織の編成のための運動をする。そして、これらのハーフゲージのジャカードバーＪＢに設けられている複数のジャカードガイド２０ｊは、ジャカードバーＪＢの運動に伴い、全て同じ運動をする。
【００２０】
それに加えて、これらのジャカードガイド２０ｊは、それぞれジャカード機構により独立して変位可能となっている。そのため複数のジャカードガイド２０ｊはゲージ位置毎に異なる運動をすることができる。
【００２１】
ジャカード機構は、ジャカードガイド２０ｊを、基本組織の編成のための位置よりも変位させる機構である。その機構の例を図３に基づき説明する。図３に示すジャカードガイド２０ｊでは、糸が通る孔１０が形成された先端部１１が、絶縁体１２の先端に設けられている。絶縁体１２の左右両側には、セラミック等でできたピエゾ素子１３が設けられている。これらのピエゾ素子１３の一方に電圧をかけると、そのピエゾ素子１３が変形し、絶縁体１２が曲がる。その結果先端部１１が左右に動き、孔１０の位置が左右に移動する。このようにしてジャカードガイド２０ｊが曲がる。孔１０の左右方向の移動量をジャカードガイド２０ｊの曲がる量又は変位量とする。ピエゾ素子１３に電圧がかかっていない状態ではジャカードガイド２０ｊは曲がっていない。
【００２２】
ジャカードガイド２０ｊが曲がっていない状態でかつ編成が停止している間は、ジャカードガイド２０ｊはニードル２２の真上に位置している。基本組織の編成中は、ジャカードガイド２０ｊは１Ｇ（ニードル２２から隣のニードル２２までの距離）の半分の距離だけ右に曲がっている。基本組織の編成中の状態をジャカード機構が作用していない状態とする。ジャカード機構が作用すると、ジャカードガイド２０ｊは、左に曲がり、基本組織の編成中の位置よりも１Ｇの距離だけ左に変位する。ジャカード機構は、オーバーラップの際だけ作用させることも、アンダーラップの際だけ作用させることも、オーバーラップとアンダーラップの両方の際に作用させることもできる。
【００２３】
編成部には、前側の一体型ジャカードバーＰＪＢ１と後側の一体型ジャカードバーＰＪＢ２の他に、普通のガイドバーが設けられていても良い。普通のガイドバーとは、そこに設けられている複数のガイドが、ガイドバーの運動に伴い、全て同じ運動をするものであり、それぞれのガイドが独立して左右に変位しないものである。例えば、後側の一体型ジャカードバーＰＪＢ２より後に普通のガイドバーが設けられていても良いし、前側の一体型ジャカードバーＰＪＢ１より前に普通のガイドバーが設けられていても良いし、前側の一体型ジャカードバーＰＪＢ１より前と、後側の一体型ジャカードバーＰＪＢ２より後との両方にガイドバーが設けられていても良い。
【００２４】
後側の一体型ジャカードバーＰＪＢ２より後に普通のガイドバーが設けられている配列の例を、配列例Ａとして、図４に示す。配列例Ａでは、前から順に、前側の一体型ジャカードバーＰＪＢ１、後側の一体型ジャカードバーＰＪＢ２、普通のガイドバーとしてのガイドバーＧＢ５、普通のガイドバーとしてのガイドバーＧＢ６が並んでいる。ここで、前側の一体型ジャカードバーＰＪＢ１はジャカードバーＪＢ１とジャカードバーＪＢ２を備え、後側の一体型ジャカードバーＰＪＢ２はジャカードバーＪＢ３とジャカードバーＪＢ４を備える。そしてジャカードバーＪＢ１〜ＪＢ４は、それぞれ、ハーフセット分のジャカードガイド２０ｊを備える。そして、ジャカードバーＪＢ１とジャカードバーＪＢ２とでフルセット分のジャカードガイド２０ｊを備え、また、ジャカードバーＪＢ３とジャカードバーＪＢ４とでフルセット分のジャカードガイド２０ｊを備える。
【００２５】
また、前側の一体型ジャカードバーＰＪＢ１より前と、後側の一体型ジャカードバーＰＪＢ２より後との両方に普通のガイドバー２１が設けられている配列の例を、配列例Ｂとして、図５に示す。配列例Ｂでは、前から順に、普通のガイドバーとしてのガイドバーＧＢ１、前側の一体型ジャカードバーＰＪＢ１、後側の一体型ジャカードバーＰＪＢ２、普通のガイドバーとしてのガイドバーＧＢ６が並んでいる。前側の一体型ジャカードバーＰＪＢ１はジャカードバーＪＢ２とジャカードバーＪＢ３を備え、後側の一体型ジャカードバーＰＪＢ２はジャカードバーＪＢ４とジャカードバーＪＢ５を備える。そしてジャカードバーＪＢ２〜ＪＢ５は、それぞれ、ハーフセット分のジャカードガイド２０ｊを備える。そして、ジャカードバーＪＢ２とジャカードバーＪＢ３とでフルセット分のジャカードガイド２０ｊを備え、また、ジャカードバーＪＢ４とジャカードバーＪＢ５とでフルセット分のジャカードガイド２０ｊを備える。
【００２６】
なお以上の実施形態ではガイドバーの配列の途中に落下板は設けられていない。
【００２７】
（３）編成方法
以上の前後に並んだ２つの一体型ジャカードバーを用いて編成する際に、選択されたゲージ位置のジャカードガイドのジャカード機構を作用させることにより、該ジャカードガイドを変位させることができる。ここで、ジャカードガイドが各ゲージ位置で行うラッピングとしてオーバーラップとアンダーラップがあるが、それらのうちいずれのラッピング時にジャカード機構を作用させるかを選択できる。両方のラッピング時にジャカード機構を作用させることもできる。このように、ゲージ位置及びラッピングを選択してジャカード機構を作用させ、そのゲージ位置のジャカードガイドをそのラッピング時に変位させることができる。その結果、２つの一体型ジャカードバーによる基本組織に対し、変化を加えることができる。
【００２８】
（３−１）ジャカード機構の作用による組織の変化の例
まず、ジャカード機構の作用による、ジャカードガイドが編成する組織の変化を例示する。なお以下の例では、２編コース間隔で繰り返される組織にジャカード機構を作用させて変化を加え、同じく２編コース間隔で繰り返される組織としたものを示す。しかし、３編以上のコース間隔で繰り返される組織に変化を加えても良いし、２編コース間隔で繰り返される組織に変化を加えて３編以上のコース間隔で繰り返される組織としても良い。
【００２９】
図６に、ジャカードガイドによる組織の２編コース間隔での変化例を示す。図中のＨはジャカード機構を作用させないことを表している。この場合、ジャカードガイドは基本組織を編成する場合と同じ位置にあることになる。図中のＴはジャカード機構を作用させることを表している。この場合、ジャカードガイドは基本組織を編成する位置から左へ変位することになる。ＴとＨは１つのニードルの上下段に記載されているが、上段のＴ又はＨはオーバーラッピング時にジャカード機構を作用させること又はさせないことを、下段のＴ又はＨはアンダーラッピング時にジャカード機構を作用させること又はさせないことを、それぞれ表している。図６（１）は基本組織である１−０／１−２／／の繰り返し単位からなる閉じ目デンビ組織を表しており、これに対してジャカード機構を作用させて（２）〜（１６）の１５通りの変化をさせることができる。例えば図６（２）の組織は、１コース目のアンダーラップ時とオーバーラップ時にはジャカード機構を作用させず、２コース目のアンダーラップ時とオーバーラップ時にはジャカード機構を作用させて編成した組織である。
【００３０】
図７〜図１１に、ジャカードガイドによる組織の別の変化例を示す。図７の基本組織は、（１）に示す開き目デンビ組織で、０−１／２−１／／の繰り返し単位からなる。図８の基本組織は、（１）に示す開き目鎖編組織で、０−１／１−０／／の繰り返し単位からなる。図９の基本組織は、（１）に示す２ニードルアンダーラップの挿入組織で、０−０／２−２／／の繰り返し単位からなる。図１０の基本組織は、（１）に示す１ニードルアンダーラップの挿入組織で、０−０／１−１／／の繰り返し単位からなる。図１１の基本組織は、（１）に示す閉じ目逆デンビ組織（図６（１）の閉じ目デンビ組織とアンダーラップが逆方向になっている組織）で、１−２／１−０／／の繰り返し単位からなる。図７〜図１１の基本組織に対して、図６に示したものと同様にそれぞれ１５通りの変化をさせることができる。ただし、図７〜１１では代表的な４通りの変化例のみを（２）〜（５）に示している。
【００３１】
（３−２）１つの一体型ジャカードバーによる編成の例
一体型ジャカードバーは２枚のハーフゲージのジャカードバーを備えるが、これらが同じ動作をして同じ組織を編成することができる。よって、一体型ジャカードバーで図６〜図１１に例示する組織を編成することができる。
【００３２】
また、一体型ジャカードバーは２枚のハーフゲージのジャカードバーを備えるため、例えば、１枚のハーフゲージのジャカードバーで図６〜図１１のいずれかの組織を編成し、もう１枚のハーフゲージのジャカードバーでそれとは別の組織であって図６〜図１１のいずれかの組織を編成し、これらを重ねて１つの一体型ジャカードバーによる編成組織とすることができる。
【００３３】
例えば図１２の組織は１つの一体型ジャカードバーによる組織の例である。（１）に示す基本組織は、１枚のハーフゲージのジャカードバーで図６（１）の閉じ目デンビ組織を編成し、もう１枚のハーフゲージのジャカードバーで図１１（１）に示す閉じ目逆デンビ組織を編成し、これらを重ねたカウンターラッピング組織である。この基本組織に対し、ジャカード機構を作用させることにより、（２）〜（５）に例示するような変化をさせることができる。
【００３４】
図１３（１）〜（４）は、より広範囲の組織を表したものである。図１３（１）は図１２（１）の基本組織としてのカウンターラッピング組織を広範囲で表したものである。図１３（２）〜（４）の組織は、ジャカード機構を作用させて図１３（１）の組織を変化させた例で、図中の一部に破線で示す基本組織に対し矢印方向への変位を加えたものである。図１３（２）の組織はラッシェルネット組織である。図１３（３）の組織は、２ゲージアンダーラップしているぶん厚地となる組織で、これを薄地の例えばデンビ組織と組み合わせることにより編地に柄を描くことができる。図１３（４）の組織は絞り効果の大きい組織である。このように、図１３（１）の基本組織に対しジャカード機構を作用させることにより様々な組織とすることができる。なお図１３（２）〜（４）に例示する組織は全てのニードル位置でループを形成しているため、これに重ねる組織は、全てのニードル位置でループを形成している必要が無く、様々な組織とすることができる。
【００３５】
（３−３）２つの一体型ジャカードバーによる編成の例
本実施形態の経編機１は２つの一体型ジャカードバーを備えるため、例えば、１つの一体型ジャカードバーで図６〜図１３のいずれかの組織を編成し、もう１つの一体型ジャカードバーでも図６〜図１３のいずれかの組織を編成し、これらを重ねることができる。以下では前後に並ぶ２つの一体型ジャカードバーが編成する組織を例示する。
【００３６】
まず基本組織として例示するのは、前後２つの一体型ジャカードバーが、それぞれ図６（１）に示す閉じ目デンビ組織を編成する組織である。この基本組織の編成中にジャカード機構を作用させることにより様々な組織を編成することができる。例えば、前側の一体型ジャカードバーでデンビ組織を編成し、後側の一体型ジャカードバーでジャカード機構を作用させて部分的に厚地や薄地となった組織を編成する。これにより、これらの組織が重なった編地に薄い部分や厚い部分を形成し、厚みの違いによる柄を形成することができる。
【００３７】
次に基本組織として例示するのは、前側の一体型ジャカードバーが図６（１）に示す閉じ目デンビ組織、後側の一体型ジャカードバーが図１１（１）に示す閉じ目逆デンビ組織を編成した組織である。この組織では前側の一体型ジャカードバーが作るシンカーループと後側の一体型ジャカードバーが作るシンカーループとが交差するため、編地に絞り効果が出る。この基本組織の編成中にジャカード機構を作用させることにより、上記と同様に様々な組織を編成することができる。その組織の編地は絞り効果のあるものである。
【００３８】
次に基本組織として例示するのは、前側の一体型ジャカードバーと後側の一体型ジャカードバーが、それぞれ図１２（１）及び図１３（１）に示すカウンターラッピング組織を編成する組織である。このカウンターラッピング組織の編成中にジャカード機構を作用させることにより、様々な組織を編成することができる。例えば、一体型ジャカードバーで編成される組織の一部（Ａ部とする）を図１３（２）に示すようなラッシェルネット組織とする。そして、２つの一体型ジャカードバーで、それぞれラッシェルネット組織を一部に有する組織を編成するとともに、これらのラッシェルネット組織を穴の位置を合わせて重ねる。すると、ラッシェルネット組織同士が重なった領域がネット状となった編地とすることができる。なおこの場合、１つの一体型ジャカードバーで編成される組織における、Ａ部以外の部分（Ｂ部とする）の組織は限定されない。例えば、重ねられる２つのＢ部のうち、一方のＢ部をネット組織、もう一方のＢ部をネット組織以外の組織とすることができる。また、両方のＢ部をネット組織以外の組織とすることもできる。そのため、編地のうちネット状の一部領域を除く領域を、様々な組織とし、様々な見え方にすることができる。
【００３９】
次に基本組織として例示するのは、前側の一体型ジャカードバーが図６（１）に示す閉じ目デンビ組織を編成し、後側の一体型ジャカードバーが図１２（１）及び図１３（１）に示すカウンターラッピングの組織を編成する組織である。この基本組織に対し、後側の一体型ジャカードバーでは、ジャカード機構を作用させることにより、例えば図１３（２）に示すラッシェルネット組織を編成することができる。また、前側の一体型ジャカードバーでは、ジャカード機構を作用させることにより、例えば厚地部分と薄地部分とからなる柄のある組織を編成することができる。そしてこれらの組織を一体化させて、前側の一体型ジャカードバーによる組織の柄がはっきりした編み地とすることができる。
【００４０】
次に基本組織として例示するのは、前側の一体型ジャカードバーが図１２（１）及び図１３（１）に示すカウンターラッピングの組織を編成し、後側の一体型ジャカードバーが図１１（１）に示す閉じ目逆デンビ組織を編成する組織である。この基本組織に対し、前側の一体型ジャカードバーでは、ジャカード機構を作用させることにより、例えば図１３（２）に示すラッシェルネット組織を編成することができる。また、後側の一体型ジャカードバーでは、ジャカード機構を作用させることにより、例えば厚地部分と薄地部分とからなる柄のある組織を編成することができる。そしてこれらの組織を一体化させて、後側の一体型ジャカードバーによる組織の柄が見える編み地とすることができる。この柄は比較的薄く見える。
【００４１】
以上のように編み方によって編地のバリエーションを多くするだけでなく、２つの一体型ジャカードバー（従って４つのジャカードガイド）に通す糸を異なる種類とすることによって、編地のバリエーションを多くすることもできる。糸の種類が異なるとは、具体的には糸の原料、形状、太さ、撚り数、仕上げ加工等が異なることを言う。糸の種類が異なると、糸の弾性、伸縮性、柔軟性、光沢の有無、風合い、染色され具合等が異なる。
【００４２】
例えば、４つのジャカードガイドに、所定温度での染色され具合の異なる糸、例えば少なくともポリアミド、ポリエステルをそれぞれ通して編成する。その後所定温度で染色すると、糸の染色され具合の違いから、編地に色の濃淡からなる模様を描くことができる。
【００４３】
また、４つのジャカードガイドのうち１又は２以上に弾性の大きい弾性糸を通して編成すると、編成後に編成の仕方に応じた収縮をする編地とすることができる。例えば鎖編を行うジャカードガイドに弾性糸を通して編成すると、コース方向に収縮する編地とすることができる。
【００４４】
また、２つの一体型ジャカードバーに通す糸の色を少なくとも２色以上とすることにより、編地に色違いによる模様を描いても良い。例えば、後側の一体型ジャカードバーに黄色の糸を通してデンビ組織を編成し、前側の一体型ジャカードバーに赤色の糸を通して穴の開いたネット組織を編成し、これらを重ねれば、赤色の下に黄色が見える編地とすることができる。また例えば、後側の一体型ジャカードバーに黄色の糸を通して閉じ目デンビ組織を編成し、前側の一体型ジャカードバーに赤色の糸を通して閉じ目デンビ組織を編成し、これらを重ねれば、シンカーループ部で、表が赤、裏が黄に色分けされた編地を編成することができる。ここで、後側の一体型ジャカードバーも前側の一体型ジャカードバーもそれぞれフルセットのジャカードガイドを備えるため、１つの一体型ジャカードバーにおいて２つのハーフゲージのジャカードバーにそれぞれ赤と黄の糸を通して編成する場合よりも、前記色分けが明確になる。また、４つのジャカードバーにそれぞれ異なる色の糸を通して編成すれば、４色からなる編地とすることもできる。
【００４５】
前側の一体型ジャカードバーと後側の一体型ジャカードバーの他に、普通のガイドバーが設けられている場合、編地のバリエーションがさらに増える。
【００４６】
前記の配列例Ａの場合、例えば、ガイドバーＧＢ５やガイドバーＧＢ６により挿入糸を挿入し、該挿入糸により編地に模様を描いたり縁取りを形成したりすることができる。挿入糸により縁取りを形成する例を説明すると、例えば次の通りである。一体型ジャカードバーＰＪＢ１、ＰＪＢ２により、２つの衣類を並べて編成するとする。その場合に、いずれかのガイドバーで、隣り合う衣類と衣類との間に鎖編による解き糸を設ける。そして、ガイドバーＧＢ５又はガイドバーＧＢ６により、解き糸と一方の衣類とに掛るようにゴム糸を挿入するとともに、解き糸と他方の衣類とに掛るようにゴム糸を挿入する。つまり、隣り合う２つの衣類が、１本の解き糸とその両側の２本のゴム糸により繋がっている状態を作る。ここでゴム糸には、伸縮性の高い例えばポリウレタンでできた糸を用いる。そして、２つの衣類を並べて編成し終えた後に、解き糸を解く。すると、２本のゴム糸が、解き糸から解放されて収縮し、それぞれ掛けられていた側の衣類の端部と一体化する。このようにして、衣類と衣類が、縁が綺麗になった状態で分離する。
【００４７】
また前記の配列例Ｂの場合、例えば、前側の一体型ジャカードバーＰＪＢ１で挿入糸を挿入することができる。前側の一体型ジャカードバーＰＪＢ１より前にガイドバーＧＢ１があるため、ガイドバーＧＢ１で鎖編等を行いループを形成すれば、挿入糸を押えることができるからである。
【００４８】
以上のようにして編成された編地に対し、その後、ヒートセット、洗浄、乾燥、その他必要に応じて加工処理が施されて、衣料等の製品が完成する。
【００４９】
（４）効果
本実施形態の経編生地の編成方法によれば、ハーフゲージのジャカードバーが対になることによりフルゲージになっている一体型ジャカードバーを用いることと、このような一体型ジャカードバーを２つ用いて編成することと、ジャカード機構の作用／不作用をオーバーラップとアンダーラップの際に選択することにより、多くのバリエーションの編地を編成することができる。
【００５０】
例えば、１つの一体型ジャカードバーにおいてハーフゲージのジャカードバーが対になっており、しかもジャカード機構の作用／不作用をオーバーラップとアンダーラップの際に選択することができるために、１つの一体型ジャカードバーで編成される組織の一部に様々な変化を加えることができる。そして、このような一体型ジャカードバーを２つ用いて編成するために、一部にのみジャカード機構による変化が加わった組織を、２つ重ねることができる。
【００５１】
また、後側の一体型ジャカードバーより後や前側の一体型ジャカードバーより前にガイドバーを設けてこれも用いて編成すれば、上に例示したようにさらに多くのバリエーションの編地を編成することができる。
【００５２】
また、２つの一体型ジャカードバーに通す糸の種類を少なくとも２種類以上としたり、２つの一体型ジャカードバーに通す糸の色を少なくとも２色以上としたりすれば、上に例示したようにさらに多くのバリエーションの編地を編成することができる。
【符号の説明】
【００５３】
１…経編機、２…編成部、３…給糸部、４…柄出し部、５…駆動部、６…巻取り部、７…テンション装置、１０…孔、１１…先端部、１２…絶縁体、１３…ピエゾ素子、２０…ガイド、２０ｊ…ジャカードガイド、２１…ガイドバー、２２…ニードル、２３…トリックプレート、３０…ビーム、４０…ロッド、４１…移動装置、４２…電子制御装置、５０…シャフト、５１…回転装置、５２…カム、ＰＪＢ１…前側の一体型ジャカードバー、ＰＪＢ２…後側の一体型ジャカードバー、ＧＢ…ガイドバー、ＪＢ…ジャカードバー
【図１】
0006593998.tif 000002
【図２】
0006593998.tif 000003
【図３】
0006593998.tif 000004
【図４】
0006593998.tif 000005
【図５】
0006593998.tif 000006
【図６】
0006593998.tif 000007
【図７】
0006593998.tif 000008
【図８】
0006593998.tif 000009
【図９】
0006593998.tif 000010
【図１０】
0006593998.tif 000011
【図１１】
0006593998.tif 000012
【図１２】
0006593998.tif 000013
【図１３】
0006593998.tif 000014
【図１４】
0006593998.tif 000015
【図１５】
0006593998.tif 000016